(57)【要約】【課題】  記録媒体の決定の際のユーザーの利便性を向上させることを目的とする。【解決手段】  記録を行う記録媒体の特性を光学センサ２０１によって測定する。測定値に基づき記録媒体の種類を抽出し、抽出した記録媒体のうち履歴情報に含まれる記録媒体の種類を入出力部４０６によって通知する。【選択図】  図５
2020121533.tif 000002
【特許請求の範囲】
【請求項１】
記録装置で使用される記録媒体の特性を測定手段によって測定した測定結果を取得する取得手段と、
通知手段に記録媒体の種類を示す情報を通知させる通知制御手段と、
前記通知手段によって通知され、決定された記録媒体の種類に対応する情報を入力するための入力手段と、を備える情報処理装置であって、
前記通知制御手段は、前記取得手段が取得した測定結果と前記記録装置で使用された記録媒体の種類を示す使用履歴の情報に基づき、前記測定結果が示す特性が予め定められている記録媒体の特性に対応し、かつ前記使用履歴情報のある記録媒体の種類を示す情報を前記通知手段に通知させることを特徴とする情報処理装置。
【請求項２】
前記通知制御手段は、前記通知手段に、前記測定結果が示す特性が前記予め定められている記録媒体の特性に対応する記録媒体の種類のうち、前記履歴のある記録媒体の種類を前記記録装置で使用された履歴のない記録媒体の種類よりも優先的に通知させることを特徴とする請求項１に記載の情報処理装置。
【請求項３】
前記通知制御手段は、前記通知手段に、前記測定結果が示す特性が前記予め定められている記録媒体の特性に対応し、前記履歴のある記録媒体の種類を、前記履歴に基づいた優先順位をユーザーが認識可能なように通知させることを特徴とする請求項１または２に記載の情報処理装置。
【請求項４】
前記通知制御手段は、前記優先順位を前記履歴に基づき使用した時期が近い順に従う優先順位として前記通知手段に通知させることを特徴とする請求項３に記載の情報処理装置。
【請求項５】
前記通知制御手段は、前記測定結果が示す特性と前記予め定められている記録媒体の特性との近さに応じた指数と、前記履歴において使用した時期の近さに応じた指数と、に基づいて前記優先順位を決定することを特徴とする請求項３または４に記載の情報処理装置。
【請求項６】
前記入力手段は、ユーザーによって決定された前記記録媒体の種類に対応する情報を入力することを特徴とする請求項１乃至５のいずれか１項に記載の情報処理装置。
【請求項７】
前記通知制御手段は、前記通知手段に複数の記録媒体の種類を示す情報を通知させ、所定時間内に操作されなかった場合には、最も上位に通知されていた記録媒体を使用する記録媒体であると決定することを特徴とする請求項１乃至６のいずれか１項に記載の情報処理装置。
【請求項８】
前記通知制御手段は、前記測定結果が示す特性が前記予め定められている記録媒体の特性に最も近く、前記履歴における順位が最も高い記録媒体がある場合には、当該記録媒体をユーザーによる記録媒体の決定なしに使用する記録媒体であると決定することを特徴とする請求項６または７のいずれか１項に記載の情報処理装置。
【請求項９】
前記履歴の情報は前記記録装置で記録を行える状態にしたことのある記録媒体の情報であることを特徴とする請求項１に記載の情報処理装置。
【請求項１０】
前記履歴の情報は前記記録装置によって記録が行われたことのある記録媒体の情報であることを特徴とする請求項９に記載の情報処理装置。
【請求項１１】
前記履歴の情報は記録媒体の選択がされた記録媒体の情報であることを特徴とする請求項９に記載の情報処理装置。
【請求項１２】
前記履歴の情報は前記記録装置によって記録を行える状態にしたことのある記録媒体と、記録媒体の使用時期の近い順番を示す情報であることを特徴とする請求項９乃至１１のいずれか１項に記載の情報処理装置。
【請求項１３】
前記測定手段が測定する測定値は前記記録媒体の乱反射値、正反射値、厚さの値、の少なくとも１つを含むことを特徴とする請求項１乃至１２のいずれか１項に記載の情報処理装置。
【請求項１４】
前記通知制御手段は、前記通知手段に、前記記録媒体の名称を通知させることを特徴とする請求項１乃至１３のいずれか１項に記載の情報処理装置。
【請求項１５】
前記通知手段は、記録媒体の種類を示す情報を表示することによって通知を行うことを特徴とする請求項１乃至１４のいずれか１項に記載の情報処理装置。
【請求項１６】
請求項１から１５のいずれか１項に記載の情報処理装置と、
記録媒体に記録材を付与する記録手段と、
記録媒体を、記録を行う位置に搬送する搬送手段と、を有し、
前記搬送手段が前記記録媒体を前記記録手段が記録を行うことのできる位置に搬送すると、前記記録手段は前記記録媒体に記録を行うことを特徴とする記録装置。
【請求項１７】
前記記録装置は前記記録手段を搭載して移動可能なキャリッジを有し、
前記測定手段は前記キャリッジに搭載され、前記搬送手段によって前記測定手段が測定することのできる位置に搬送された前記記録媒体の特性を測定することを特徴とする請求項１６に記載の記録装置。
【請求項１８】
記録装置で使用される記録媒体の特性を測定した測定結果を取得し、
記録媒体の種類を示す情報を通知し、
通知されて、決定された記録媒体の種類に対応する情報を入力される記録媒体の種類の決定方法であって、
取得された記録媒体の測定値と前記記録装置で使用された記録媒体の履歴の情報に基づき、前記測定結果が示す特性が予め定められている記録媒体の特性に対応し、かつ前記履歴のある記録媒体の種類を示す情報を通知することを特徴とする記録媒体の種類の決定方法。
【請求項１９】
コンピュータを請求項１乃至請求項１５の各手段として機能させるためのプログラム。
【発明の詳細な説明】
【技術分野】
【０００１】
本発明は、情報処理装置、記録装置及び記録媒体の種類の決定方法に関する。
【背景技術】
【０００２】
記録装置において記録を行う際に、高品位な画質を得るために記録媒体の種類に応じた制御パラメータを使用して記録を行うことが知られている。特許文献１には、適切な制御パラメータを使用して記録を行うために、記録対象の記録媒体の複数の特性値を測定して記録媒体の種類を判別することが開示されている。
【先行技術文献】
【特許文献】
【０００３】
【特許文献１】特開２０１６−２１５５９１号公報
【発明の概要】
【発明が解決しようとする課題】
【０００４】
しかしながら、記録媒体の中には異なる記録媒体であっても特性値が近いものもあるため、特許文献１の方法では測定誤差などが原因で記録媒体の種類を正しく判別できず、却ってユーザーの利便性を損なってしまう虞がある。
【０００５】
本発明は上記課題に鑑みてなされたものであり、記録媒体の種類の決定の際のユーザーの利便性を向上させることを目的とする。
【課題を解決するための手段】
【０００６】
本発明は、記録装置で使用される記録媒体の特性を測定手段によって測定した測定結果を取得する取得手段と、通知手段に記録媒体の種類を示す情報を通知させる通知制御手段と、前記通知手段によって通知され、決定された記録媒体の種類に対応する情報を入力するための入力手段と、を備える情報処理装置であって、前記通知制御手段は、前記取得手段が取得した測定結果と前記記録装置で使用された記録媒体の種類を示す使用履歴の情報に基づき、前記測定結果が示す特性が予め定められている記録媒体の特性に対応し、かつ前記使用履歴情報のある記録媒体の種類を示す情報を前記通知手段に通知させることを特徴とする。
【発明の効果】
【０００７】
本発明によれば、記録媒体の決定の際のユーザーの利便性を向上させることができる。
【図面の簡単な説明】
【０００８】
【図１】第１の実施形態に係る記録装置の構成を示す斜視図である。
【図２】第１の実施形態に係るキャリッジの構成を示す図である。
【図３】第１の実施形態における光学センサの構成を示す図である。
【図４】第１の実施形態における記録装置の制御系のブロック構成を示す図である。
【図５】第１の実施形態における記録媒体決定処理を示すフローチャートである。
【図６】第１の実施形態における入出力部の表示形態を示す図である。
【図７】第１の実施形態における記録媒体決定処理を説明するための表である。
【図８】第１、第２の実施形態における履歴情報を示す表である。
【図９】入出力部の他の形態を示す図である。
【図１０】第２の実施形態における記録媒体決定処理を示すフローチャートである。
【図１１】第４の実施形態における入出力部の表示形態を示す図である。
【発明を実施するための形態】
【０００９】
（第１の実施形態）
＜全体構成＞
図１は、記録装置の構成を示す斜視図であり、図１（ａ）は全体の外観を示し、図１（ｂ）は上部カバーを開け、外装を省略した内部構造を示す。本実施形態における記録装置１００は、インクジェット記録方式により、記録媒体上に記録材としてインク滴を吐出することにより記録を行う。記録媒体はＹ方向を搬送方向として搬送される。そして、記録ヘッド１０２を搭載したキャリッジ１０１はＹ方向と交差する方向であるＸ方向に往復移動して記録を行う、いわゆるシリアル型記録ヘッドを備えるインクジェット記録装置について説明する。しかしながら、ノズル列が記録媒体の搬送方向に対する記録幅に亘って構成された、いわゆるライン型記録ヘッドを備えるインクジェット記録装置が用いられても良い。また、記録機能だけでなく、スキャン機能やＦＡＸ機能、送信機能等が一体化された多機能型周辺装置（ＭＦＰ）でもよい。本実施形態では、後述する使用する記録媒体の記録媒体決定処理を行うための情報処理装置の機能は記録装置１００に搭載されている。
【００１０】
記録装置１００の上部に入出力部４０６を備える。入出力部４０６は操作パネルであり、ディスプレイにインク残量や記録媒体の種類の候補を表示し、ユーザーはキーを操作することにより記録媒体を選択したり記録の設定を行ったりすることができる。
【００１１】
キャリッジ１０１は、光学センサ２０１（図２）と、インクを吐出する吐出口が設けられた吐出口面が形成された記録ヘッド１０２とを有する。キャリッジ１０１は、キャリッジモータ４１５（図４）の駆動により、搬送ベルト１０３を介してシャフト１０４に沿ってＸ方向（キャリッジの移動方向）に往復移動可能に構成されている。本実施形態において、記録装置１００は、光学センサ２０１により、記録媒体１０５の表面上の乱反射特性値や正反射特性値を取得したり、キャリッジ１０１と記録媒体１０５との間の距離を測定したりすることが可能である。
【００１２】
ロール紙等の記録媒体１０５は、不図示の搬送ローラによりプラテン１０６上をＹ方向に搬送される。記録は搬送ローラによりプラテン１０６上に搬送された記録媒体１０５上をキャリッジ１０１がＸ方向に移動しながら、記録ヘッド１０２からインク滴を吐出することで行う。キャリッジ１０１が記録媒体１０５上の記録領域の端まで移動すると、搬送ローラは記録媒体１０５を一定量搬送し、次の記録走査を行う領域を記録ヘッド１０２が記録可能な位置に移動させる。以上の動作の繰り返しにより画像の記録が行われる。
【００１３】
＜キャリッジ構成＞
図２は、キャリッジ１０１の構成を示す図である。キャリッジ１０１は、トランスレータ２０２とヘッドホルダ２０３とを備えて構成されている。ヘッドホルダ２０３は、記録ヘッド１０２と反射型センサである光学センサ２０１を含む。図２に示すように、光学センサ２０１は、底面が記録ヘッド１０２の底面と同位置若しくはそれよりも高くなるように、構成されている。
【００１４】
＜光学センサ構成＞
図３は、光学センサ２０１の構成を示す断面模式図である。光学センサ２０１は、光学素子として第１のＬＥＤ３０１、第２のＬＥＤ３０２、第３のＬＥＤ３０３、第１のフォトダイオード３０４、第２のフォトダイオード３０５、第３のフォトダイオード３０６を含む。第１のＬＥＤ３０１は、記録媒体１０５の表面（測定面）に対して法線（９０°）の照射角を有する光源である。第１のフォトダイオード３０４は、第１のＬＥＤ３０１から照射され記録媒体１０５からの反射光をＺ方向４５°の角度で受光する。つまり、記録媒体１０５からの反射光のいわゆる乱反射成分を検出する光学系を形成する。
【００１５】
第２のＬＥＤ３０２は、記録媒体１０５の表面（測定面）に対してＺ方向６０°の照射角を有する光源である。第１のフォトダイオード３０４は、第２のＬＥＤ３０２から照射され記録媒体１０５からの反射光をＺ方向６０°の角度で受光する。つまり、発光と受光の角度が等しくなり、記録媒体１０５からの反射光のいわゆる正反射成分を検出する光学系を形成する。
【００１６】
第３のＬＥＤ３０３は、記録媒体１０５の表面（測定面）に対して法線（９０°）の照射角を有する光源である。第２のフォトダイオード３０５と第３のフォトダイオード３０６は、第３のＬＥＤ３０３から照射され記録媒体１０５からの反射光を受光する。第２のフォトダイオード３０５と第３のフォトダイオード３０６のそれぞれの受光量は、光学センサ２０１と記録媒体１０５との距離に応じて変化し、光学センサ２０１と記録媒体１０５との距離を測定する測距センサとして動作する。ここで、光学センサ２０１とプラテン１０６との間の距離は、予め定められているので、光学センサ２０１と記録媒体１０５との間の距離が測定されることで、記録媒体１０５の「紙厚」が取得される。
【００１７】
本実施形態では光学センサはキャリッジに設置されているが、他の形態でもよい。例えば、記録装置に固定して設置されていてもよいし、あるいは記録装置とは別体の記録媒体の乱反射や正反射等の特性値を測定するための測定機器であって、測定機器によって測定した特性値を記録装置に送信する形態でもよい。
【００１８】
＜ブロック図＞
図４は、記録装置１００の制御系のブロック構成を示す図である。ＲＯＭ４０２は、不揮発性メモリであり、例えば、記録装置１００を制御するための制御プログラムや、本実施形態の動作を実現させるためのプログラムが記憶されている。本実施形態の動作は、例えば、ＣＰＵ４０１がＲＯＭ４０２に記憶されたプログラムをＲＡＭ４０３に読み出して実行することにより実現される。ＲＡＭ４０３は、ＣＰＵ４０１のワーキングメモリとしても用いられる。ＥＥＰＲＯＭ４０４ａ、４０４ｂは、記録装置１００の電源がオフとされても保持しておくべきデータを記憶する。少なくとも、ＣＰＵ４０１とＲＯＭ４０２が、後述する記録媒体決定処理をするための情報処理装置の機能を実現する。本実施形態において、ＥＥＰＲＯＭ４０４ａはこれまで給紙された記録媒体の種類の履歴を記憶する。記憶した情報は履歴情報として扱う。また、ＥＥＰＲＯＭ４０４ｂは、予め定められた各記録媒体の特性値や、各記録媒体のカテゴリを記憶する。カテゴリとは記録媒体の種類を大きく分類したものであり、本実施形態においては、光沢紙、普通紙、コート紙、フィルム用紙、スペシャル、の５つが設定されている。例えば記録媒体がスタンダード光沢紙であるならば光沢紙のカテゴリ、プレミアム普通紙ならば普通紙のカテゴリに分類されている。記録媒体は紙媒体ではない媒体も含むが、本実施形態においてはユーザー対して「用紙」という文言を用いて通知を行う。履歴情報や各記録媒体の特性値は記録装置内の記憶媒体ではなく、ホストコンピュータやサーバーなどに記憶してもよい。
【００１９】
インタフェース（Ｉ／Ｆ）回路４１０は、記録装置１００と外部のＬＡＮ等のネットワークとを接続する。記録装置１００は、Ｉ／Ｆ回路４１０により、外部のホストコンピュータ等の装置との間で各種ジョブやデータ等の送受信を行う。
【００２０】
入出力部４０６は、入力部と出力部を含む。入力部はユーザーからの電源投入の指示や、記録実行の指示、各種機能の設定の指示を受け付ける。出力部は省電力モード等の各種装置情報や、記録装置１００が実行可能な各種機能の設定画面を表示する。本実施形態では入出力部４０６は記録装置１００に備えられた操作パネルであり、入出力部４０６は、入出力制御回路４０５を介してシステムバス４１６とデータの送受信が可能なように接続されている。本実施形態ではＣＰＵ４０１が出力部の情報の通知制御を行う。
【００２１】
他にも、入力部は外部のホストコンピュータのキーボードでもよく、外部のホストコンピュータからユーザーの指示を受付可能としてもよい。出力部は、ＬＥＤディスプレイやＬＣＤディスプレイ、ホスト装置と接続されているディスプレイでもよい。また、入出力部がタッチパネルである場合には、ソフトウェアキーによりユーザーからの指示を受付可能である。また、入出力部４０６はスピーカーとマイクであって、ユーザーからの入力を音声入力、ユーザーへの通知を音声出力としてもよい。
【００２２】
ＣＰＵ４０１とＲＯＭ４０２と同様の機能を持つＣＰＵとＲＯＭを備え、記録装置１００と外部接続される情報処理装置が、後述する記録媒体決定処理を行い、記録装置１００で使用する記録媒体を決定してもよい。
【００２３】
光学センサ２０１による測定を実施する場合には、ＣＰＵ４０１によりＬＥＤ制御回路４０７が駆動され、光学センサ２０１内の所定のＬＥＤが点灯するように制御される。光学センサ２０１の各フォトダイオードは受光した光に応じた信号を出力し、Ａ／Ｄ変換回路４０８によりデジタル信号に変換され、ＲＡＭ４０３に一旦保存される。記録装置１００の電源オフ時にも保存されるべきデータは、ＥＥＰＲＯＭ４０４に記憶される。
【００２４】
記録ヘッド制御回路４１１は、記録ヘッド１０２に搭載されセレクタやスイッチを含むノズル駆動回路に対して、記録データに応じた駆動信号を供給し、ノズルの駆動順序等、記録ヘッド１０２の記録動作の制御を行う。例えば、外部からＩ／Ｆ回路４１０に記録対象データが送信されてきた場合、記録対象データは、ＲＡＭ４０３に一旦保存される。そして、記録ヘッド制御回路４１１は、記録対象データから、記録のための記録データに変換された記録データに基づいて、記録ヘッド１０２を駆動する。その際、ＬＦ（ラインフィード）モータ駆動回路４１２は、記録データのバンド幅等に基づいてＬＦモータ４１３を駆動し、ＬＦモータ４１３と接続されている搬送ローラが回転することにより記録媒体を搬送する。ＣＲ（キャリッジ）モータ駆動回路４１４は、ＣＲ（キャリッジ）モータ４１５を駆動することにより搬送ベルト１０３を介してキャリッジ１０１を走査させる。
【００２５】
Ｉ／Ｆ回路４１０から送られてくるデータには、記録対象データのみでなく、プリンタドライバで設定された内容のデータも含まれる。また、記録対象データは、例えば、Ｉ／Ｆ回路４１０を介して外部から受信して記憶部に格納されたり、ハードディスク等の記憶部に予め格納されたりしている場合もある。ＣＰＵ４０１は、画像データを記憶部から読み出して画像処理回路４０９を制御して、記録ヘッド１０２を用いるための記録データへの変換（二値化処理）を実行する。画像処理回路４０９は、二値化処理の他、色空間変換、ＨＶ変換、ガンマ補正、画像の回転等、種々の画像処理を実行する。
【００２６】
＜全体フロー＞
図５は、記録対象の記録媒体１０５の特性を測定した測定結果を取得し、記録媒体の種類の履歴情報に基づいて入出力部４０６に記録媒体の候補を通知して記録対象の記録媒体の種類を決定する記録媒体決定処理を示すフローチャートである。記録媒体を決定することによって、インクの最大使用量、記録ヘッドの高さ、記録媒体のプラテンへの吸着力、記録媒体の搬送量補正の程度などのパラメータが設定される。記録媒体の特性に影響するような制御パラメータであれば、他のパラメータが用いられていてもよい。図５のＳ１０１〜Ｓ１１１までの各ステップの処理は、例えば、図４で示すＣＰＵ４０１がＲＯＭ４０２に記憶されたプログラムをＲＡＭ４０３に読み出して実行することで実現される。また、記録媒体決定処理はホスト装置のソフトウェアによって実行されてもよい。本実施形態において入出力部４０６は記録装置に備えられた操作パネルであるので記録媒体の候補の通知は操作パネルに記録媒体の名称を表示することによって行われる。入出力部４０６はホスト装置に接続されたディスプレイとホスト装置であってもよい。また、入出力部４０６が音声の入出力が可能なマイク機能のあるスピーカーである場合には記録媒体の候補の通知はスピーカーによって行われ、記録媒体の選択はマイクにユーザーが記録媒体の名称、或いは対応する符号を音声入力することによって行われる。
【００２７】
ＣＰＵ４０１は、入出力部４０６である操作パネルからユーザーによる給紙開始の指示を受け付けると記録媒体１０５の給紙処理を実施する。図６（ａ）は給紙処理開始の指示の入力を受け付ける操作パネルの表示例である。操作パネルは情報を表示するディスプレイと、ディスプレイの下に、選択項目を上下に動かすためにユーザーが操作する２つのボタンと選択を決定する決定ボタンが備えられている。
【００２８】
給紙が開始されると、記録媒体１０５は搬送ローラによりプラテン１０６上の光学センサ２０１が検知可能な位置まで搬送される。記録媒体１０５が搬送されると、記録媒体１０５上をキャリッジ１０１がＸ方向に移動し、光学センサ２０１によって記録媒体１０５の特性の各測定値として乱反射値、正反射値、記録媒体の厚さの値（以下、紙厚）を取得する（ステップＳ１０１）。乱反射値は記録媒体の白色度と対応し、正反射値は記録媒体の光沢度と対応する。記録媒体の特性として、記録媒体のＸ方向の幅を使用して記録媒体決定処理を行ってもよい。記録媒体の特性の測定を行う位置は１箇所でもよいし、複数箇所の測定結果の平均を取ってもよい。また、特性の測定は光学センサ２０１が停止した状態で行ってもよいし、移動しながら行ってもよい。測定値は一旦ＲＡＭ４０３などのメモリに記憶される。
【００２９】
次いで、ＣＰＵ４０１は取得した測定値をメモリから読み出し、予め定められてＥＥＰＲＯＭ４０４ｂに記憶されている各種記録媒体の特性値と比較する（ステップＳ１０２）。これにより、測定値が示す特性に対応する特性を持つ記録媒体の種類を抽出する。詳しくは以下の通りである。図７（ａ）はＥＥＰＲＯＭ４０４ｂに記憶されている各種記録媒体の特性値を示す。乱反射値、正反射値は、光学センサ２０１が光を受光して出力する出力電圧を１０ｂｉｔでＡ／Ｄ変換した値である。取得した紙厚と、ＥＥＰＲＯＭ４０４ｂに記憶された紙厚の差が±５０μｍ以内の記録媒体の種類を抽出する（ステップＳ１０３）。
【００３０】
そして、抽出された記録媒体の種類があるか否かを判断する（ステップＳ１０４）。
【００３１】
抽出された記録媒体が無い場合には該当する記録媒体が無いため、図６（ｂ）のように操作パネルに全てのカテゴリを表示する（ステップＳ１０９）。カテゴリは予め定められた順番に並べられて表示される。カテゴリの表示を行った場合には、ユーザーが選択したカテゴリの入力を受け付けると図６（ｃ）のようにカテゴリ内の記録媒体の種類を表示する。そして、表示した記録媒体の種類のうち選択された記録媒体の種類についての入力を受ける。図６（ｂ）では、記録媒体のカテゴリとは別に、すべて、という項目を一番下に表示している。この「すべて」が選択されると全ての記録媒体が予め定められた順番で表示される。使用時が表示時から近い順番に表示するようにしてもよい。
【００３２】
ステップＳ１０４で抽出した記録媒体がある場合、取得した乱反射値、正反射値と、記憶手段ＥＥＰＲＯＭ４０４ｂに記憶された乱反射値、正反射値との差がそれぞれ５以内の記録媒体を抽出する（ステップＳ１０５）。ここで、抽出された記録媒体があるか否かを判断する（ステップＳ１０６）。該当する記録媒体が無い場合、図６（ｂ）のように操作パネルにカテゴリ表示を行う（ステップＳ１０９）。
【００３３】
ステップＳ１０６で抽出した記録媒体の種類がある場合、抽出された記録媒体の種類の使用履歴があるかどうかをＥＥＰＲＯＭ４０４ａに記憶された履歴情報に基づいて判断する（ステップＳ１０７）。ＥＥＰＲＯＭ４０４ａには、履歴情報が図８（ａ）のようにこれまでに記録装置１００で使用された記録媒体が使用された時期の近さを示す情報と紐づけられて記憶されている。同一種類の記録媒体が複数回使用された場合には、最後に使用された情報をのみを履歴としている。図８では履歴順の欄に振られた番号が小さい記録媒体の方が最近使用された記録媒体であることを示している。
【００３４】
ステップＳ１０７で抽出した記録媒体の種類が履歴情報に無い場合、図６（ｃ）のようにカテゴリ表示のみを行う（ステップＳ１０９）。また、このように抽出した記録媒体の種類が履歴情報に無い場合、抽出した記録媒体の種類をＥＥＰＲＯＭ４０４ｂに記憶されているアドレス順に並べて表示してもよい。また、履歴情報がある場合、図６（ｄ）に示すように用紙のランキングとして、抽出された記録媒体の種類を、同一種類の記録媒体は重複分を一つにまとめて表示する。図６（ｄ）ではこれまでに使用された記録媒体の種類を、最近使用された記録媒体の方が優先順位の高い記録媒体として、優先順位の高い記録媒体の名称を上から順に表示する（ステップＳ１０８）。「用紙のランキング」と表示しているため、ユーザーは優先的に選択される程度、即ち優先度の順であることが容易に認識可能となる。本実施形態では「用紙のランキング」に上から３つまで記録媒体を表示することができるが、抽出された記録媒体の種類の中で履歴があるのは２種類のみであるため、図６（ｄ）では２つの記録媒体までしか表示していない。３つ目の欄には上記２つの記録媒体よりも目立たないように「選択履歴がありません」と薄く表示し、ユーザーに履歴情報の中には３つ目の候補がないことを通知する。例えば操作パネルの背景の色が黒の場合、記録媒体２つは白色で、「選択履歴がありません」という内容は白よりも輝度の低い色であるグレーで表示する。「選択履歴がありません」という内容の表示の下部には、用紙のカテゴリを表示する。このようにしてユーザーが所望する記録媒体が入出力部４０６に表示された記録媒体の中になかった場合に、その他の種類の記録媒体を選択するために、個別の記録媒体を選択できるようにしてある。図９に他の形態の入出力部４０６における記録媒体の種類の候補の表示方法を示す。図９（ａ）のように、記録媒体の種類の候補が操作パネルに表示しきれない場合にはスクロール操作等によって下位の候補を表示可能にしてもよい。また、候補の上位から順に表示せずとも、優先順位をユーザーが認識可能であればよい。操作パネルの中央に最も上位の記録媒体の名称を表示させるようにしてもよいし、図９（ｂ）のように優先度が上位の記録媒体の名称を表示する文字の大きさを大きくする、太字にするなどして優先度の上下を表現してもよい。また、図９（ｃ）のように、カーソル用ボタンを設けず入出力部４０６をタッチ選択可能なタッチパネルとしてもよい。図９（ｃ）では用紙のランキングを示すために各記録媒体に１〜３までの符号を付して表示している。ここでは１の番号が振られているスタンダード半光沢紙が最もランクが高い。符号はランクの高さが分かるようなものであればよく、数字以外の符号でもよい。このようにしてもユーザーに優先度を認識させることが可能である。また、「用紙のカテゴリ」という表示の下にカテゴリが表示されているが、「用紙のカテゴリ」を意味する表示なしにカテゴリを表示するようにしてもよい。また、候補の記録媒体の下にはカテゴリではなく、履歴順に記録媒体を表示してもよい。
【００３５】
また、図９（ｄ）のように優先度１位の記録媒体のみを表示するようにしてもよい。なお、図９（ｄ）はタッチパネルで表示する例である。このときに、表示されている記録媒体の種類に決定する場合には決定を選択する。ユーザーが、抽出され、履歴のある他の記録媒体を選択したい場合には、図９（ｄ）ではスタンダード半光沢紙と表示されている記録媒体の項目の部分を選択することができる。この選択を受け付けると図９（ｃ）のような画面の表示になり、他の記録媒体を選択できるような表示方法でもよい。
【００３６】
ステップＳ１１０にて、ユーザーが入出力部４０６から記録媒体の種類を選択すると、ステップＳ１１１ではステップＳ１１０で選択された記録媒体の種類に基づいてＥＥＰＲＯＭ４０４ａに記憶している履歴順を更新する。以上により記録媒体決定処理が終了する。
【００３７】
記録媒体決定処理が終了し、記録準備が完了すると、ユーザーからの記録ジョブを受け付ける状態となり、記録ジョブを受信したら記録を開始する。ここで、ステップＳ１１１で行った履歴順の更新は記録ジョブをホストコンピュータから送信した際に行ってもよい。また、入出力部４０６からユーザーが選択して入力された記録媒体の種類と、ホストコンピュータから記録装置１００に送信されたジョブの記録媒体の種類が異なっている場合は、ＥＥＰＲＯＭ４０４ａに記憶している履歴情報を更新しないようにしてもよい。
【００３８】
図５の記録媒体決定処理では、ステップＳ１０３で該当する紙厚を有する記録媒体の種類を抽出し、ステップＳ１０５で該当する乱反射値と正反射値を有する記録媒体の種類を抽出している。抽出する順番はこれに限らず、例えば乱反射値が該当する記録媒体をまず抽出するようにしてもよい。
【００３９】
光学センサ２０１が記録装置とは別体の測定機器に設けられている場合には、まず測定機器にセットされた記録媒体の特性値を測定機器が取得して記録装置に送信する。送信された特性値に基づいて記録媒体の種類を記録装置のＣＰＵ４０１によって抽出し、入出力部４０６に候補を通知するような形態でもよい。
【００４０】
以下に具体例を挙げながら記録媒体決定処理について説明する。ステップＳ１０１で取得した記録媒体の特性が、（乱反射値、正反射値、紙厚）＝（１０３、９８、１９０）である場合、紙厚の抽出範囲は図７（ｂ）で示す通り、１４０μｍ〜２３０μｍである。ステップＳ１０３では紙厚が１４０μｍ〜２３０μｍの範囲にあるスタンダード光沢紙、スタンダード半光沢紙、プレミアム光沢紙が抽出される。抽出した記録媒体があるのでステップＳ１０４はＹｅｓとなり、ステップＳ１０５に進む。
【００４１】
ステップＳ１０５にて抽出する乱反射値、正反射値の範囲はそれぞれ、９８〜１０８、９５〜１０３である。ステップＳ１０３にて抽出された３種類の記録媒体の中から範囲に該当する特性値を持つスタンダード光沢紙、スタンダード半光沢紙が抽出される。
【００４２】
このときＥＥＰＲＯＭ４０４ａに記憶されている履歴情報において履歴順が図８（ａ）のようである場合、抽出された２種類の記録媒体のうちスタンダード半光沢紙の方が最近使用された記録媒体である。そのため、入出力部４０６には図６（ｄ）のように、スタンダード半光沢紙、スタンダード光沢紙の順に表示される。ここで、スタンダード光沢紙がユーザーに選択された場合、履歴順は図８（ｂ）のように更新される。
【００４３】
また、例えば、ステップＳ１０１で取得した記録媒体の特性が（乱反射値、正反射値、紙厚）＝（８８、１５０、９０）である場合、紙厚の抽出範囲は図７（ｃ）に示す通り、４０μｍ〜１３０μｍである。ステップＳ１０３では紙厚が４０μｍ〜１３０μｍの範囲にあるスタンダード普通紙、プレミアム普通紙が抽出される。抽出した記録媒体があるのでステップＳ１０４はＹｅｓとなり、ステップＳ１０５に進む。
【００４４】
ステップＳ１０５にて抽出する乱反射値、正反射値の抽出範囲はそれぞれ、８３〜９３、１４５〜１５５である。ステップＳ１０３にて抽出された３種類の記録媒体の中から範囲に該当する特性値を持つ記録媒体は無いため、ステップＳ１０９に進み、入出力部４０６には図６（ｂ）のようにカテゴリを表示する。
【００４５】
以上のように、給紙した記録媒体の特性値を取得して、記録媒体の種類の候補のうち、最近使用した記録媒体の種類が上位に通知されるようにする。このようにすることによって、ユーザーが使用する可能性が高い種類の記録媒体が優先的に通知され、ユーザーの希望の記録媒体の種類を選択する際の手間を削減することができる。
【００４６】
上述の実施形態では、履歴情報として最近使用した記録媒体の順番が記憶されていたが、履歴情報はこれに限られない。履歴情報として、使用された回数を記憶してもよい。記録媒体決定処理において、抽出した記録媒体の種類があった場合には使用された回数が多い順に記録媒体の種類の名称を通知する。
【００４７】
（第２の実施形態）
第１の実施形態では、履歴情報にあるステップＳ１０５にて抽出した記録媒体の中で、履歴情報に記憶されている記録媒体の名称を通知した。第２の実施形態では、履歴情報にない記録媒体であっても抽出された記録媒体がある場合には入出力部４０６に通知するようにする。第１の実施形態と同様の部分の説明は省略する。
【００４８】
図１０に第２の実施形態における記録媒体決定処理のフローチャートを示す。ステップＳ２０１〜Ｓ２０６、Ｓ２１１、Ｓ２１２は第１の実施形態の図７のステップＳ１０１〜Ｓ１０６、Ｓ１１０、Ｓ１１１と同様の処理を行う。
【００４９】
光学センサ２０１によって記録媒体１０５の乱反射値、正反射値、紙厚を取得する（ステップＳ２０１）。次いで、ＣＰＵ４０１は取得した測定値をメモリから読み出し、予め定められてＥＥＰＲＯＭ４０４ｂに記憶されている各記録媒体の特性値と比較する（ステップＳ２０２）。そして取得した測定値が示す特性に対応する特性を持つ記録媒体の種類を抽出する。まず、取得した紙厚と、ＥＥＰＲＯＭ４０４ｂに記憶された紙厚の差が±５０μｍ以内の記録媒体の種類を抽出する（ステップＳ２０３）。抽出した記録媒体の種類があるかを判断し（ステップＳ２０４）、抽出された記録媒体の種類が無い場合には該当する記録媒体の種類が無く、操作パネルに図６（ｃ）のようにカテゴリ表示を行う（ステップＳ２１４）。
【００５０】
ステップＳ２０４で抽出した記録媒体の種類がある場合、取得した乱反射値、正反射値と、記憶手段ＥＥＰＲＯＭ４０４ｂに記憶された乱反射値、正反射値との差がそれぞれ±５以内の記録媒体の種類を抽出する（ステップＳ２０５）。ここで、抽出された記録媒体の種類があるか否かを判断する（ステップＳ２０６）。該当する記録媒体の種類がない場合、操作パネルに図６（ｂ）のようにカテゴリ表示を行う。
【００５１】
ステップＳ２０６で抽出した記録媒体の種類がある場合、抽出された記録媒体の種類がＥＥＰＲＯＭ４０４ａに記憶された履歴情報にあるかどうかを判断する（ステップＳ２０７）。ＥＥＰＲＯＭ４０４ａには、履歴情報が図８（ｃ）のようにこれまでに記録装置１００で使用された記録媒体が使用された時期の近さを示す情報と紐づけられて記憶されている。同一種類の記録媒体が複数回使用された場合には、最後に使用された情報のみを履歴としている。本実施形態では過去に３つの種類の記録媒体が使用され、履歴情報としてＥＥＰＲＯＭ４０４ａに記憶されている。
【００５２】
ステップＳ２０７で抽出した記録媒体の種類が履歴情報にない場合、ステップＳ２１３にて抽出した記録媒体の種類の中で特性値がステップＳ２０１で取得した記録媒体１０５の特性値に近いと判断した順に操作パネルに表示を行う。
【００５３】
ステップＳ２０７で抽出した記録媒体の種類が履歴情報にある場合、ステップＳ２０８にて履歴情報にある記録媒体の種類の名称を操作パネルに表示したときに、記録媒体を表示する枠が余るか否かを判断する。枠が余っていない場合、ステップＳ２１５で操作パネルには全て履歴情報にある記録媒体の種類の名称を表示し、表示は履歴順に行う。
【００５４】
枠が余っている場合、ステップ２０９で、ステップＳ２０５で抽出した記録媒体の種類の中で履歴情報にない記録媒体の種類があるか否かを判断する。履歴情報にない種類の記録媒体が抽出されていない場合、ステップＳ２１５にて操作パネルに履歴情報にある記録媒体の種類の名称のみを履歴順に表示する。履歴情報にない記録媒体の種類が抽出されている場合、ステップＳ２１０にて操作パネルに、履歴情報にある記録媒体の種類の名称を履歴順で上から表示する。そして、その下に履歴情報にはない種類の記録媒体の名称を、履歴情報にはなく、抽出した記録媒体の種類の中で特性値がステップＳ２１０で取得した記録媒体１０５の特性値に近いと判断した順に表示する。
【００５５】
ステップＳ２１１にて、入出力部４０６である操作パネルからユーザーによる記録媒体の種類の選択を受け付け、ＣＰＵ４０１に入力される。ステップ２１２ではステップＳ２１１で選択された記録媒体の種類に基づいてＥＥＰＲＯＭ４０４ａに記憶している履歴順を更新する。以上により記録媒体決定処理が終了する。
【００５６】
以下に例を挙げて説明する。ＥＥＰＲＯＭ４０４ａに図８（ｃ）に示すような履歴情報が記憶されている場合に、ステップＳ２０１で取得した記録媒体の特性が第１の実施形態で説明した例と同じ値の、（乱反射値、正反射値、紙厚）＝（１０３、９８、１９０）であるときを例とする。ステップＳ２０１〜Ｓ２０６までは第１の実施形態のステップＳ１０１〜Ｓ１０６と同様の処理を行う。そのため、ステップＳ２０５の処理によって抽出された記録媒体の種類はスタンダード光沢紙、スタンダード半光沢紙であり、抽出した記録媒体の種類があるためステップＳ２０７に進む。ステップ２０７では図８（ｃ）に示す履歴情報にはスタンダード半光沢紙を示す情報があり（ステップＳ２０７：Ｙｅｓ）、また該当する記録媒体の種類が３つの記録媒体を表示できるうち１つしかないため表示する枠が余っている（ステップＳ２０８：Ｙｅｓ）。ここで、履歴情報にはないが、抽出された記録媒体の種類があるので、ステップＳ２１０に進む。ステップＳ２１０では図６（ｄ）のように、抽出した記録媒体の種類のうち履歴情報に記憶されていたスタンダード半光沢紙、履歴情報にはないけれど抽出した記録媒体の種類であるスタンダード光沢紙、の順に操作パネルに表示する。
【００５７】
以上のように、履歴情報に含まれない記録媒体の種類も表示することによって、ユーザーが今まで使用していない記録媒体を使用する際にもユーザーの希望の記録媒体の種類を選択する際の手間を削減することができる。
【００５８】
（第３の実施形態）
第１、第２の実施形態では、履歴情報にある使用したことのある記録媒体の種類を候補の上位に通知した。本実施形態では、記録媒体の種類ごとに特性値、履歴情報に重みづけ処理を行い、重みづけ指数が大きい記録媒体の種類を上位に通知する。第１、第２の実施形態と同様の部分は省略する。
【００５９】
本実施形態では、履歴情報としてＥＥＰＲＯＭ４０４ａには記録媒体の種類の最近使用された時期の近さを示す情報が、使用された順番だけでなく、記録媒体決定処理の実行時からどのくらい前の時間に使用されたかの情報も記録媒体と紐づけて記憶する。
【００６０】
記録媒体判別処理を実行する際に、ＥＥＰＲＯＭ４０４ａに記憶されている記録媒体の種類の使用された時期の近さに応じて、各記録媒体に使用時期が近いほど大きな重みづけ指数を付与する。重みづけ指数はＣＰＵ４０１によって付与され、ＲＡＭ４０３に一時記憶される。
【００６１】
記録媒体１０５の給紙が行われると、光学センサ２０１によって記録媒体１０５の特性値が取得される。取得された記録媒体１０５の特性値と、ＥＥＰＲＯＭ４０４ｂに記憶されている各記録媒体の特性値をＣＰＵ４０１によって比較し、測定値が示す特性に対応する特性を持つ記録媒体の種類を抽出する。抽出された記録媒体の種類にはそれぞれ記録媒体１０５の特性値とどれだけ近い値かを示す重みづけ指数を付与し、ＲＡＭ４０３に一時記憶する。
【００６２】
抽出された記録媒体の種類の履歴情報に基づいて付与された重みづけ指数と、特性値に基づいて付与された重みづけ指数を積算し、重みづけ指数が大きい順に入出力部４０６によって通知する。
【００６３】
（第４の実施形態）
上述の実施形態は、複数の記録媒体の種類を入出力部４０６に通知し、ユーザーは候補を通知された上で記録媒体の種類を決定するという「ユーザー決定モード」による記録媒体の種類の選択方法について説明した。本実施形態では複数の記録媒体の種類を通知し、所定時間内に選択されなければ最上位の記録媒体の種類に決定する「自動決定モード」を実行する。上述の実施形態と同様の部分については省略する。
【００６４】
第１の実施形態における図５の記録媒体決定処理のステップＳ１０１〜Ｓ１０９と同様の処理を行う。本実施形態ではステップＳ１０８で図１１のように入出力部４０６である操作パネルに候補の記録媒体の種類の名称の表示を行う。表示を所定時間行い、所定時間の間にユーザーが操作を開始しなければ優先度が最上位の記録媒体、図１１に示す例ではスタンダード半光沢紙に決定し、記録媒体決定処理を終了する。所定時間の表示のときには、図１１に示すように、自動選択する旨と、ユーザーが手動で選択することが可能な旨を併記する。所定時間内にユーザーが操作を開始したら所定時間を過ぎても図１１の表示は継続し、ユーザーが記録媒体を選択するまで表示を行う。ステップＳ１０９のようにカテゴリ表示を行う場合には第１の実施形態と同様に、ユーザーが記録媒体の種類を選択すると記録媒体の種類が決定される。
【００６５】
第２の実施形態における図１０の記録媒体決定処理のステップＳ２０１〜ステップＳ２１０、Ｓ２１３〜Ｓ２１５と同様の処理を行うようにしてもよい。複数の記録媒体の種類の名称を入出力部４０６に表示する場合には（ステップＳ２１０、Ｓ２１３、Ｓ２１５）、所定時間内に操作が行われなかった場合には最上位の記録媒体に決定する。
【００６６】
また、自動決定モードとユーザー決定モードとは、入出力部４０６を用いてユーザーが選択して切り替え可能なように設定されていてもよい。また、測定値に対して最も近い特性値を持つと判断された記録媒体の種類が履歴情報におけるランクが最も高い場合に自動決定を行い、上述の判断された記録媒体の種類のランクが２位以下であれば、自動決定をしないようにしてもよい。こうすると記録媒体の検出における信頼度が高い場合に自動決定をすることとなり、ユーザーの利便性が向上する。
【００６７】
以上のように、複数の記録媒体の種類の名称を所定時間表示し、所定時間内に操作が行われなかった場合には最上位の記録媒体の種類に決定することで、更に記録媒体の種類を選択する際の手間を削減することができる。
【００６８】
（その他実施形態）
上述した実施形態の記録装置は記録材としてインクを吐出するインクジェット記録装置であった、しかし記録材として粉末トナーを用いる電子写真方式の記録装置でもよい。
【符号の説明】
【００６９】
１０１  記録装置
１０５  記録媒体
２０１  光学センサ
４０１  ＣＰＵ
４０４ａ  ＥＥＰＲＯＭ
４０４ｂ  ＥＥＰＲＯＭ
４０６  入出力部
【図１】
2020121533.tif 000003
【図２】
2020121533.tif 000004
【図３】
2020121533.tif 000005
【図４】
2020121533.tif 000006
【図５】
2020121533.tif 000007
【図６】
2020121533.tif 000008
【図７】
2020121533.tif 000009
【図８】
2020121533.tif 000010
【図９】
2020121533.tif 000011
【図１０】
2020121533.tif 000012
【図１１】
2020121533.tif 000013